(57)【要約】【課題】交換が容易で、交換回数が少なく、保守作業が低減できるエレベータの照明装置の提供。【解決手段】エレベータのかご室２１と、かご室の天井面１１に設けられ、複数本並列に並べられた冷陰極蛍光ランプ１と、冷陰極蛍光ランプ１からの照明光を反射する反射板３と、冷陰極蛍光ランプ１を点灯する安定器２とを設け、冷陰極蛍光ランプ１を長寿命とすることで、保守作業を低減させ、もってエレベータ利用者に対する不具合を低減できる。【選択図】　　図１
2004099220.tif 000002
【特許請求の範囲】
【請求項１】
利用者が乗降可能なかご室と、
前記かご室の内側に設けられ、前記かご室内を照明する冷陰極蛍光ランプとを有することを特徴とするエレベータの照明装置。
【請求項２】
エレベータのかご室と、
前記かご室の天井に設けられる冷陰極蛍光ランプと、
前記冷陰極蛍光ランプを点灯する安定器と
を有することを特徴とするエレベータの照明装置。
【請求項３】
前記冷陰極蛍光ランプから発せられた照明光を所定方向に反射する反射部を有することを特徴とする請求項１または２に記載のエレベータの照明装置。
【請求項４】
前記冷陰極蛍光ランプと、前記反射部と、前記安定器とは、一体的に設けられることを特徴とする請求項２に記載のエレベータの照明装置。
【請求項５】
前記冷陰極蛍光ランプの近傍に、前記冷陰極蛍光ランプを保温する保温部を設けることを特徴とする請求項１または２に記載のエレベータの照明装置。
【発明の詳細な説明】
【０００１】
【発明の属する技術分野】
本発明は、エレベータの照明装置に関する。
【０００２】
【従来の技術】
従来、エレベータの天井に設置される照明装置には、家庭用の一般の蛍光ランプ（熱陰極管）が使用されていた。この蛍光ランプは、照明装置のオン・オフを繰り返すたびに寿命が短くなる特性を有していた。この理由は、蛍光ランプ始動時には過大電流が必要であり、この過電流によって陰極が損傷するからである。
【０００３】
このため、蛍光ランプが切れたり、点滅し始めたりして交換が必要となってくるのである。
【０００４】
そして、交換が必要となった場合には、保守員が当該エレベータに赴き、所定時間保守作業のためにエレベータを停止させ、エレベータのかご室の天井の外から交換していた。ちなみに、この蛍光ランプの寿命は、約６０００時間である。
【０００５】
そして、このような保守作業時には、エレベータ全体を必ず停止させなければならず、エレベータ利用者にとってはその間使用ができず、大変不便であった。また、安全上の観点から保守作業は保守員が行わなければならず、蛍光ランプを交換するだけであっても多大な時間と労力とを使っていた。
【０００６】
また、従来の熱陰極蛍光ランプではスタータを使用しているため、電圧印可とランプ点灯との間にタイムラグが生じていた。このため、エレベータが呼びを受けた階床に移動した後、このタイムラグをなくすために、暫く時間を置いて正面扉を開くなどの制御も行っていた。
【０００７】
また、照明装置としてはパソコンなどのバックライトに使われていた小型の蛍光ランプとして冷陰極蛍光ランプがあった。
【０００８】
【特許文献１】
特開平９−１４７８０２号公報（図４）
【発明が解決しようとする課題】
上述したような従来の技術の問題点に鑑みて本発明はなされたものであり、照明装置を長寿命とし、もって保守作業を低減せしめ、エレベータ利用者に対して不具合のないエレベータの照明装置の提供を目的とする。
【０００９】
【課題を解決するための手段】
上記目的を達成するために本発明のエレベータの照明装置は、利用者が乗降可能なかご室と、前記かご室の内側に設けられ、前記かご室内を照明する冷陰極蛍光ランプとを有する。
【００１０】
また、本発明のエレベータの照明装置は、エレベータのかご室と、前記かご室の天井面に設けられる冷陰極蛍光ランプと、前記冷陰極蛍光ランプを点灯する安定器とを有する。
【００１１】
【発明の実施の形態】
本発明のエレベータの照明装置の第１の実施の形態について、図１乃至図３を参照して説明する。
【００１２】
図１はエレベータの照明装置の第１の実施の形態の正面図、図２はエレベータの照明装置の第１の実施の形態の側面図、図３はエレベータの照明装置が配置されたかごの正面図である。
【００１３】
照明装置５は、１０本の直管型冷陰極蛍光ランプ１と、冷陰極蛍光ランプ１を点灯する安定器２と、冷陰極蛍光ランプ１から放射される可視光を反射する反射板３と、安定器２に電源を供給するコネクタ４と、冷陰極蛍光ランプ１を支える支持台２０と、を少なくとも有する。
【００１４】
ここで、冷陰極蛍光ランプ１は、１ｍｍ〜６ｍｍ程度の直径を有する透光性放電容器と、この放電容器の両端に封止された一対の冷陰極（不図示）と、放電容器の内面に塗布された蛍光体（不図示）と、放電容器内に封入された放電媒体（不図示）と、を少なくとも有している。冷陰極蛍光ランプ１は、陰極が加熱されることなく発光するため、照明のオン・オフの回数によって寿命が左右されることがなく、単に発光時間に起因するといった特性を有している。
【００１５】
また、冷陰極蛍光ランプ１は、高電圧を印可すると即点灯し、発光までの時間的遅れがないことも特徴である。
【００１６】
反射板３には、その両端に支持台２０、２０が設置される。この支持台２０には、複数の冷陰極蛍光ランプ１が並行に固定される。このとき複数の冷陰極蛍光ランプ１は互いに所定距離離間し、かつ反射板３からも所定距離離間するように配置される。
【００１７】
また、反射板３には例えばインバータ機能を有する安定器２が配置される。この安定器２の一端側には、複数の冷陰極蛍光ランプ１の一端が電気的に接続され、安定器２の他端側には、冷陰極蛍光ランプ１の他端側が電気的に接続されている。冷陰極蛍光ランプ１と安定器２との接続は、冷陰極蛍光ランプ１の端部の端子線と安定器２とを、例えばハンダ付けすることによって電気的に接続されている。
【００１８】
また、安定器２は電力の供給を受けるためにコネクタ４に接続されている。
【００１９】
そして、複数の冷陰極蛍光ランプ１と、支持台２０と、反射板３と、安定器２と、が一体的に配置されることで、照明装置の１ユニットが構成されている。
【００２０】
続いて、図３の構成について説明する。
【００２１】
かご室２１は、かご床６と、正面扉７と、幅木８と、側板９と、幕板１０と、天板１１と、を有する。なお、天板１１には貫通孔１２が穿設されており、この貫通孔１２を塞ぐように光透過性を有する例えば合成樹脂から形成される保護板１３が配置されている。また、保護板１３を覆うように略直方体形状の箱板１４がかご室２１の外側に設けられる。保護板１３と対向する箱板１４の面には、照明装置の１ユニット（５）が配置される。照明装置のコネクタ（不図示）も適宜配置される。
【００２２】
幅木８は、下面をかご床６に上面を側板８に固定される。側板９は天板１１に固定されると共に、隣接する側板と固定される。幕板１０は、その上面を天板１１に、側面を側板８に、固定されている。正面扉７は、幕板１０と側板９と幅木８とかご床６とで周囲を覆われており、所定方向に開閉可能である。
【００２３】
このような構成からなる第１の実施の形態の動作について説明する。
【００２４】
コネクタ４から電力が安定器２に供給され、安定器２にて所望値となるように電圧電流などが変換される。変換された電圧が複数の冷陰極蛍光ランプ１に印加されることによって、所定の波長を有する光が照射される。照射された光の一部は、保護板１３に直接入射され、また光の一部は、反射板３に照射され反射板３で反射された後、保護板１３に入射される。そして、保護板１３を介してかご室２１内に光を透過させ、かご室２１内を所定の照度となるように照らす。
【００２５】
以上述べたような第１の実施の形態によれば、冷陰極蛍光ランプ１をエレベータの照明装置に用いることにより、照明装置を長寿命とすることができる。したがって、保守員による照明装置の交換などの保守作業が低減でき、もってエレベータ利用者への不具合を抑制することができる。
【００２６】
これは、冷陰極蛍光ランプ１が、従来の熱陰極蛍光ランプのように電流により高温になるような陰極を有していないためであり、このような構成により陰極の断線等の問題が生じないのである。また、熱陰極蛍光ランプが約６０００時間の寿命を有することに対して、この冷陰極蛍光ランプ１は約５００００時間の寿命を有し、その寿命の長さは熱陰極蛍光ランプの約１０倍である。さらに、冷陰極蛍光ランプの寿命は、照明のオン・オフの回数に依存しておらず、この点も長寿命を達成できる一因である。これに対し、熱陰極蛍光ランプは、照明のオン・オフの回数によって寿命が短くなる特性をもっているため、約６０００時間の寿命を持っていたとしてもオン・オフの回数が多くなるとさらに寿命が短くなる。
【００２７】
また、冷陰極蛍光ランプ１を常時点灯していた場合、５００００時間／２４時間／３６５日＝５．７年もの寿命が得られる。また、エレベータの照明装置の点灯消灯動作によっては、例えば常時照明装置を点灯させないようにした場合（利用時のみ点灯）には、更に長寿命となる。
また、照明装置が長寿命となることで、エレベータの照明装置に関する保守点検作業が低減できるため、場合によっては保守費用を低減できる可能性もある。
【００２８】
さらに、冷陰極蛍光ランプ１の大きさを小さくすることができるため、意匠性および設置条件の緩和に寄与している。これは、従来の熱陰極蛍光ランプが約３４ｍｍの直径を有していることに対し、本発明は約１〜６ｍｍと非常に小さく、約１／６の大きさのためである。また、小型であることから、所望の照度を得るために、本数、互いの離間距離を、適宜設定することができる。　また、箱体１４の高さを低くでき、冷陰極蛍光ランプ１と保護板１３との距離を短くすることができる。したがって、エレベータのかご室内の照明装置全体を小型化、かつ薄くできる。
【００２９】
さらに、冷陰極蛍光ランプ１の設置条件（距離等）を適宜設定できることから、照明装置として常に問題となる光ムラをより抑制することができ、もってエレベータ利用者に対して、より違和感のない照明を提供できる。
【００３０】
さらに、１ユニットの中には、冷陰極蛍光ランプ１を複数配置していることによって、たとえその内の１つが非発光の状態になったとしても、他の冷陰極蛍光ランプ１が発していることで利用者には認識することが非常に困難である。したがって、交換すべき冷陰極蛍光ランプ１の交換時期を遅らせることができる場合もある。
【００３１】
さらに、従来は１本の冷陰極蛍光ランプ１の端子を安定器２と接続するには、はんだつけなどの手作業で行っていたが、１ユニット化としたことで、ユニットごと交換でき、このため作業時間を低減し、また交換作業時の安全性を向上させることができる。
【００３２】
さらに、呼びの行われた階床にかご室が着床した後、すばやく扉を開放することができる。これは、冷陰極蛍光ランプ１に電圧が印加され発光されるまでの時間が、従来に比べ非常に短いためである。
【００３３】
次に、本発明のエレベータの照明装置の第２の実施の形態の構成について、図４を参照しながら説明する。
【００３４】
第２の実施の形態の特徴は、光天井に照明ユニット５を配置したことである。
【００３５】
なお、以下の各実施の形態において、第１の実施の形態と同一構成要素は同一符号を付して重複する説明を省略する。
【００３６】
図４の正面図に示すように、かご室の天井の略全面から光を照射する光天井１５を設ける。光天井１５の下部には照明板１３ｂが設けられている。この天井板１５には、照明板１３ｂの形状に合せて照明ユニット５が複数個配置されている。
【００３７】
この構成によっても上記実施形態と同様な効果を得ることが可能である。
【００３８】
次に、本発明のエレベータの照明装置の第３の実施の形態の構成について、図５の正面図を参照しながら説明する。
【００３９】
第３の実施の形態の特徴は、天板１１に直接、照明ユニット５を取りつけたことである。
【００４０】
照明ユニット５を天板１１に固定する。
【００４１】
このような構成とすることで、第１の実施の形態の効果と同様の効果を得ることができる。また、照明ユニット５が天板１１からかご室外側に突出することがないため、かご室と昇降路の天井との間の距離であるトップクリアランスを小さくできる。また、かご室上の突出部がなくなる為、かご外観の意匠性も向上する。
【００４２】
次に、本発明のエレベータの照明装置の第４の実施の形態の構成について、図６の平面図を参照して説明する。
【００４３】
冷陰極蛍光ランプ１は蛇行型（Ｕ字形の組合せ）である。このような構成によれば、かご室の天板の大きさなどに取り付ける時の寸法にあわせて、適宜最適な形状とすることができ、また意匠性が向上する。
【００４４】
次に、図７乃至図９を参照して、本発明の第５の実施形態に係るエレベータの照明装置を説明する。
【００４５】
この実施形態では、冷陰極蛍光ランプ１に隣接して冷陰極蛍光ランプ１を保温する保温手段１６が設けられている。この保温手段１６は、冷陰極蛍光ランプ１６を常温、例えば２５℃に設定する機能を有している。
【００４６】
冷陰極蛍光ランプ１は、図８に示すように２５℃近辺でランプの始動電圧が低くなる。２５℃より低いと始動電圧が上昇し、ランプが点灯し難くなる。
【００４７】
また、冷陰極蛍光ランプ１は、図９に示すように２５℃近辺でランプ輝度が最大になる。２５℃より低いと輝度が低下し、エレベータ内の適切な照度を得ることができなくなる。
【００４８】
このため、第３の実施形態では冷陰極蛍光ランプを保温する保温手段１６を設けている。
【００４９】
更に、冷陰極蛍光ランプを保温する保温手段を設けると、冷陰極蛍光ランプの点灯を容易にし、瞬時点灯が可能となる。また、保温手段によりランプの出力特性、即ちランプからの光出力を高めることが可能となるので、省電力効果を得ることができる。
【００５０】
なお、本発明は上記各実施の形態には限定されず、種々変形して実施できることは言うまでもない。例えば、冷陰極蛍光ランプの本数は、所望の照度を得ることが出来れば何本であっても構わない。また複数の冷陰極蛍光ランプは、互いにどのような距離離間して配置されても、反射板とどのような距離離間して配置されても構わない。
【００５１】
本発明では冷陰極蛍光ランプを使用しているので、ランプの寿命が非常に長く、例えば５００００時間であるので、エレベーターの寿命中にランプが動作しなくなる回数が従来の熱陰極蛍光ランプに比べて１／１０となり、ランプ保守に掛かる経費を極端に削減できる。
【００５２】
また、冷陰極蛍光ランプの寿命が長いという特性を利用して、冷陰極蛍光ランプ、反射板および安定器をユニット化すると、保守回数が減少したことに加えて、保守作業を極めて簡単に実行することが可能となる。
【００５３】
また、展望用のエレベータかご室の外装照明に適用しても同様の効果を得ることが可能である。
【発明の効果】
以上述べたような本発明によれば、照明装置を長寿命とすることで、保守回数を低減でき、もってエレベータ利用者に対して不具合の少ないエレベータを提供できる。
【図面の簡単な説明】
【図１】本発明のエレベータの照明装置の第１実施形態に係る照明ユニットの正面図。
【図２】本発明のエレベータの照明装置の第１実施形態に係る照明ユニットの側面図。
【図３】本発明のエレベータの照明装置の第１実施形態に係るかご室の正面図。
【図４】本発明のエレベータの照明装置の第２実施形態に係るかご室の正面図。
【図５】本発明のエレベータの照明装置の第３実施形態に係るかご室の正面図。
【図６】本発明のエレベータの照明装置の第４実施形態に係る照明ユニットの平面図。
【図７】本発明のエレベータの照明装置の第５実施形態に係る照明ユニットの側面図。
【図８】本発明に使用される冷陰極蛍光ランプの周囲温度とランプ始動電圧の関係を示すグラフ。
【図９】本発明に使用される冷陰極蛍光ランプの周囲温度とランプ輝度の関係を示すグラフ。
【符号の説明】
１…冷陰極蛍光ランプ、２…安定器、３…反射板、４…コネクタ、５…照明装置、６…かご床、７…正面扉、８…幅木、９…側板、１０…幕板、１１…天板、１２…貫通孔、１３…照明板、１４…箱体、１５…光天井、１６…保温手段、
２０…支持台、２１…かご室。
【図１】
2004099220.tif 000003
【図２】
2004099220.tif 000004
【図３】
2004099220.tif 000005
【図４】
2004099220.tif 000006
【図５】
2004099220.tif 000007
【図６】
2004099220.tif 000008
【図７】
2004099220.tif 000009
【図８】
2004099220.tif 000010
【図９】
2004099220.tif 000011